(57)【要約】記録装置（１）は、記録媒体（１００）にデータパターンを記録する記録手段（１１）と、記録を中断する第１制御手段（２２）と、記録を中断する直前に記録されたデータパターンを読み取ることで読取信号を取得する読取手段（１１）と、読取信号のジッタを測定する測定手段（１９）と、ジッタが所望の条件を満たすように記録条件を調整する調整手段（２１）と、調整された記録条件を用いてデータパターンの記録を再開する第２制御手段（２２）とを備える。
2009016752.tif 000002
【特許請求の範囲】
【請求項１】
記録媒体にデータパターンを記録する記録手段と、
前記データパターンの記録を中断するように前記記録手段を制御する第１制御手段と、
記録を中断する直前に記録された前記データパターンを読み取ることで読取信号を取得する読取手段と、
前記読取信号のジッタを測定する測定手段と、
前記測定手段により測定される前記ジッタが所望の条件を満たすように前記記録手段における記録条件を調整する調整手段と、
前記調整手段により調整された前記記録条件を用いて前記データパターンの記録を再開するように前記記録手段を制御する第２制御手段と
を備えることを特徴とする記録装置。
【請求項２】
前記記録媒体は、ユーザデータに相当する前記データパターンを記録するためのデータ記録エリアを備えており、
前記第１制御手段は、前記データ記録エリアに前記ユーザデータに相当する前記データパターンを記録している任意のタイミングで、前記データパターンの記録を中断するように前記記録手段を制御することを特徴とする請求の範囲第１項に記載の記録装置。
【請求項３】
前記測定手段は、前記ジッタとして、前記ジッタのうちの記録される前記データパターンの状態に起因したシフトジッタ成分を測定し、
前記調整手段は、前記ジッタとしての前記シフトジッタ成分が前記所望の条件を満たすように前記記録条件を調整することを特徴とする請求の範囲第１項に記載の記録装置。
【請求項４】
前記ジッタが前記所望の条件を満たす状態は、前記シフトジッタ成分が第１所定値以下となる状態であることを特徴とする請求の範囲第３項に記載の記録装置。
【請求項５】
前記ジッタが前記所望の条件を満たす状態は、前記ジッタのうちのノイズに起因したランダムジッタ成分が、前記ジッタに占める比率が第２所定値以上となる状態であることを特徴とする請求の範囲第３項に記載の記録装置。
【請求項６】
前記ジッタが前記所望の条件を満たす状態は、ランレングスが異なる複数種類の前記データパターン毎の前記シフトジッタ成分が略同一となる状態であることを特徴とする請求の範囲第３項に記載の記録装置。
【請求項７】
前記測定手段は、ゼロレベルとなる点に最も近接する前記読取信号のサンプル値の前記データパターンごとの平均値を、前記シフトジッタ成分として測定することを特徴とする請求の範囲第３項に記載の記録装置。
【請求項８】
前記調整手段は、ランレングスが異なる複数種類の前記データパターンのうち前記シフトジッタ成分が相対的に大きいデータパターンを記録する際の前記記録条件から優先的に調整することを特徴とする請求の範囲第３項に記載の記録装置。
【請求項９】
前記記録手段は、レーザ光を照射することで前記データパターンを記録し、
前記記録条件は、前記レーザ光又は該レーザ光を駆動するための駆動パルスのパルス幅及び振幅の少なくとも一つであることを特徴とする請求の範囲第１項に記載の記録装置。
【請求項１０】
前記読取信号の振幅レベルを所定の振幅制限値にて制限して振幅制限信号を取得すると共に、該振幅制限信号に対して高域強調フィルタリング処理を行うことで等化補正信号を取得する振幅制限フィルタリング手段と、
前記等化補正信号の前記データパターンを検出する検出手段と
を更に備え、
前記測定手段は、前記読取手段のジッタとして、前記等化補正信号のジッタを測定し、
前記調整手段は、前記検出手段により検出される前記データパターンを参照しながら、前記測定手段により測定される前記ジッタが所望の条件を満たすように前記記録条件を調整することを特徴とする請求の範囲第１項に記載の記録装置。
【請求項１１】
前記読取信号に所定のオフセット信号を付加することでオフセット付加信号を取得する付加手段を更に備え、
前記測定手段は、前記オフセット付加信号の前記ジッタを測定することを特徴とする請求の範囲第１項に記載の記録装置。
【請求項１２】
前記記録手段は、前記調整手段により調整された前記記録条件を記録することを特徴とする請求の範囲第１項に記載の記録装置。
【請求項１３】
記録媒体にデータパターンを記録する記録手段を備える記録装置における記録方法であって、
前記データパターンの記録を中断するように前記記録手段を制御する第１制御工程と、
前記記録媒体に記録されたデータパターンを読み取ることで読取信号を取得する読取工程と、
前記読取信号のジッタを測定する測定工程と、
前記測定工程において測定される前記ジッタが所望の条件を満たすように前記記録手段における記録条件を調整する調整工程と、
前記調整工程において調整された前記記録条件を用いて前記データパターンの記録を再開するように前記記録手段を制御する第２制御工程と
を備えることを特徴とする記録方法。
【請求項１４】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置に備えられたコンピュータを制御する記録制御用のコンピュータプログラムであって、
該コンピュータを、前記記録手段、前記第１制御手段、前記読取手段、前記測定手段、前記調整手段及び前記第２制御手段の少なくとも一部として機能させることを特徴とするコンピュータプログラム。
【請求項１５】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置により調整された前記記録条件を記録するための記録条件記録エリアを備えることを特徴とする記録媒体。
【請求項１６】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置により調整された前記記録条件により前記データパターンが記録されることを特徴とする記録媒体。
【発明の詳細な説明】
【技術分野】
【０００１】
本発明は、例えば記録媒体にデータパターンを記録する記録装置及び方法、コンピュータをこのような記録装置として機能させるコンピュータプログラム、並びに記録媒体の技術分野に関する。
【背景技術】
【０００２】
ＤＶＤやＢｌｕ−ｒａｙ  Ｄｉｓｃ等の光ディスク（記録媒体）の普及が急速に進んでいる。このような光ディスクにおいては、レーザ光のパワー（具体的には、記録パワー）を適正化するＯＰＣ（Optimum Power Control）について、様々な技術が提案されている。例えば、特許文献１には、光ディスクの記録感度のバラつき等に起因した記録特性の劣化を補うために、データパターンの記録中に適宜パワーの補正を行うランニングＯＰＣについての技術が開示されている。【０００３】
【特許文献１】特開２００６−１２０２０８号公報
【発明の開示】
【発明が解決しようとする課題】
【０００４】
上述した背景技術では、アシンメトリ又はβ値を参照しながらレーザ光のパワーのみを補正している。つまり、光ディスクの記録感度のバラつき等に起因した記録特性の劣化を、レーザ光のパワーを一律に補正することで補っている。しかしながら、アシンメトリを最適な値に設定することができたとしても、ジッタが悪化してしまいかねないという技術的な問題点が発生しかねない。このため、記録パワーを一律に補正したとしても、最適な記録を行うことができるとは言い難い。【０００５】
本発明は、例えば上述した従来の問題点に鑑みなされたものであり、例えば記録媒体の記録感度のバラつき等に起因した記録特性の劣化をより好適に補うことができる記録装置及び方法、コンピュータプログラム、並びに記録媒体を提供することを課題とする。
【課題を解決するための手段】
【０００６】
上記課題を解決するために、本発明の記録装置は、記録媒体にデータパターンを記録する記録手段と、前記データパターンの記録を中断するように前記記録手段を制御する第１制御手段と、記録を中断する直前に記録された前記データパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える。【０００７】
上記課題を解決するために、本発明の記録方法は、記録媒体にデータパターンを記録する記録手段を備える記録装置における記録方法であって、前記データパターンの記録を中断するように前記記録手段を制御する第１制御工程と、前記記録媒体に記録されたデータパターンを読み取ることで読取信号を取得する読取工程と、前記読取信号のジッタを測定する測定工程と、前記測定工程において測定される前記ジッタが所望の条件を満たすように前記記録手段における記録条件を調整する調整工程と、前記調整工程において調整された前記記録条件を用いて前記データパターンの記録を再開するように前記記録手段を制御する第２制御工程とを備える。【０００８】
上記課題を解決するために、本発明のコンピュータプログラムは、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置に備えられたコンピュータを制御する記録制御用のコンピュータプログラムであって、該コンピュータを、前記記録手段、前記第１制御手段、前記読取手段、前記測定手段、前記調整手段及び前記第２制御手段の少なくとも一部として機能させる。【０００９】
上記課題を解決するために、本発明の第１の記録媒体は、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置により調整された前記記録条件を記録するための記録条件記録エリアを備える。【００１０】
上記課題を解決するために、本発明の第２の記録媒体は、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置により調整された前記記録条件により前記データパターンが記録される。【００１１】
本発明の作用及び他の利得は次に説明する実施の形態から明らかにされよう。
【図面の簡単な説明】
【００１２】
【図１】第１実施例に係る記録装置の基本構成を概念的に示すブロック図である。
【図２】光ディスクの基本構造を示した概略平面図であり、該光ディスクの半径方向における記録領域構造の図式的概念図である。
【図３】第１実施例に係る記録装置の第１動作例における動作の流れを概念的に示すフローチャートである。
【図４】平均化回路によるジッタの測定動作を読取サンプル値系列上で概念的に示す波形図である。
【図５】平均化回路の基本構成を概念的に示すブロック図である。
【図６】記録補償前のデータパターン毎のシフトジッタ成分及び全体としてのシフトジッタ成分、並びに記録補償後のデータパターン毎のシフトジッタ成分及び全体としてのシフトジッタ成分の夫々の状態を概念的に示すグラフである。
【図７】記録ストラテジの調整動作の第１の態様を概念的に示すタイミングチャートである。
【図８】記録ストラテジの調整動作の第２の態様を概念的に示すタイミングチャートである。
【図９】記録ストラテジの調整動作の第３の態様を概念的に示すタイミングチャートである。
【図１０】第１実施例に係る記録装置により記録されたデータパターンのトータルジッタ及びアシンメトリを概念的に示すグラフである。
【図１１】記録補償動作を行うことなく、レーザ光のパワーのみを補正する記録装置におけるトータルジッタ及びアシンメトリを概念的に示すグラフである。
【図１２】第１実施例に係る記録装置の第２動作例の動作の流れを概念的に示すフローチャートである。
【図１３】第２実施例に係る記録装置の基本構成を概念的に示すブロック図である。
【図１４】第３実施例に係る記録装置の基本構成を概念的に示すブロック図である。
【符号の説明】
【００１３】
１、２、３  記録装置
１０  スピンドルモータ
１１  ピックアップ
１２  ＨＰＦ
１３  Ａ／Ｄ変換器
１４  プリイコライザ
１５  リミットイコライザ
１６  ２値化回路
１７  復号回路
１８  遅延回路
１９  平均化回路
２０  パターン判別回路
２１  記録ストラテジ設定回路
２２  ＣＰＵ
２３  加算器
２４  リファレンスレベル検出部
【発明を実施するための最良の形態】
【００１４】
以下、発明を実施するための最良の形態として、本発明の記録装置及び方法、コンピュータプログラム、並びに記録媒体に係る実施形態の説明を進める。【００１５】
（記録装置の実施形態）
本発明の記録装置の実施形態は、記録媒体にデータパターンを記録する記録手段と、前記データパターンの記録を中断するように前記記録手段を制御する第１制御手段と、記録を中断する直前に記録された前記データパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える。【００１６】
本発明の記録装置に係る実施形態によれば、記録手段の動作により、例えばレーザ光等が記録媒体に照射され、その結果、記録されるべきデータに応じたデータパターンが記録媒体に記録される。【００１７】
ここで、本実施形態に係る記録装置においては、記録手段によるデータパターンの記録動作（特に、記録媒体が備えるユーザデータエリアないしはデータ記録エリアへのデータパターンの記録動作）と並行して、以下に説明する記録補償動作が行われる。【００１８】
まず、第１制御手段の動作により、記録手段によるデータパターンの記録動作が一旦中断される。ここでは、所定量のデータパターンが記録される毎に記録動作が中断されてもよい。或いは、所定期間経過する毎に記録動作が中断されてもよい。或いはその他の任意のタイミングで記録動作が中断されてもよい。【００１９】
記録動作が中断された後、読取手段の動作により、記録動作が中断される直前に記録されたデータパターンが読み取られる。その結果、読取信号が取得される。その後、測定手段の動作により、読取信号のジッタが検出される。その後は、調整手段の動作により、検出されるジッタが所望の条件を満たすように、記録手段における記録条件（具体的には、例えば記録ストラテジ）が調整される。つまり、記録補償動作が行われる。記録条件の調整がなされた後、第２制御手段の制御の下に、データパターンの記録が再開される。【００２０】
これにより、記録条件の調整がなされた後に記録されるデータパターンを読み取ることで得られる読取信号のジッタは、所望の条件を満たしている。従って、読取信号の読取品質（言い換えれば、記録品質ないしは再生品質）を向上させることができる。【００２１】
また、データパターンを記録している最中に適宜記録条件を調整することができるため、記録媒体の記録感度のばらつき（例えば、内周側のエリア部分の記録感度と外周側のエリア部分の記録感度との差異）による記録特性の劣化を好適に補うことができる。【００２２】
特に、本実施形態においては、レーザ光のパワーのみを一律に補正することに代えて、個々のデータパターン毎の記録条件（つまり、記録ストラテジ等）を独立に補正している。このため、後に図面を用いて詳細に説明するように、パワーのみを一律に補正する場合と比較して、記録特性の劣化を好適に補うことができる。言い換えれば、パワーを補正しなくとも、ジッタが所望の条件を満たすように記録条件を調整すれば、アシンメトリ等の他の記録特性をも好適な状態に維持することができる。【００２３】
本発明の記録装置に係る実施形態の一の態様では、前記記録媒体は、ユーザデータに相当する前記データパターンを記録するためのデータ記録エリアを備えており、前記第１制御手段は、前記データ記録エリアに前記ユーザデータに相当する前記データパターンを記録している任意のタイミングで、前記データパターンの記録を中断するように前記記録手段を制御する。【００２４】
この態様によれば、実際のユーザデータを記録している際に、該ユーザデータのジッタに応じて記録条件を調整することができるため、記録媒体の概ね全面に渡って好適に記録動作を行うことができる。【００２５】
本発明の記録装置に係る実施形態の他の態様は、前記測定手段は、前記ジッタとして、前記ジッタのうちの記録されるデータパターンの状態に起因したシフトジッタ成分を測定し、前記調整手段は、前記ジッタとしての前記シフトジッタ成分が前記所望の条件を満たすように前記記録条件を調整する。【００２６】
この態様によれば、容易に予測することが困難又は不可能なランダムジッタ成分ではなく、記録条件にて左右されるデータパターンの状態に起因したシフトジッタ成分を測定している。従って、記録条件を調整することで、比較的容易に、シフトジッタ成分が所望の条件となるような記録補償動作を好適に行うことができる。【００２７】
上述の如くシフトジッタ成分が所望の条件を満たすように記録条件を調整する記録装置の態様では、前記ジッタが前記所望の条件を満たす状態は、前記シフトジッタ成分が第１所定値以下となる状態であるように構成してもよい。【００２８】
このように構成すれば、シフトジッタ成分が小さくなるような記録補償動作を好適に行うことができる。【００２９】
上述の如くシフトジッタ成分が所望の条件を満たすように記録条件を調整する記録装置の態様では、前記ジッタが前記所望の条件を満たす状態は、前記ジッタのうちのノイズに起因したランダムジッタ成分が、前記ジッタに占める比率が第２所定値以上となる状態であるように構成してもよい。【００３０】
ジッタは、ランダムジッタ成分の２乗とシフトジッタ成分の２乗との和の平方根にて示される。このため、ランダムジッタ成分がシフトジッタ成分と比較して大きければ（つまり、ランダムジッタ成分がジッタに占める比率が相対的に大きければ）、シフトジッタ成分を低減しても、ジッタは低減しにくくなる。従って、このように構成すれば、記録条件の調整によってジッタの低減効果が好適に得られるような記録補償動作を行うことができる。言い換えれば、記録条件の調整によってジッタの低減効果が好適に得られない非効率な記録補償動作が行われる状態を好適に避けることができる。【００３１】
上述の如くシフトジッタ成分が所望の条件を満たすように記録条件を調整する記録装置の態様では、前記ジッタが前記所望の条件を満たす状態は、ランレングスが異なる複数種類の前記データパターン毎の前記シフトジッタ成分が略同一となる状態であるように構成してもよい。【００３２】
このように構成すれば、複数種類のデータパターン（例えば、記録媒体がＤＶＤであれば、ランレングスが３Ｔから１１Ｔ及び１４Ｔの１０種類のデータパターンであり、記録媒体がＢｌｕ−ｒａｙ  Ｄｉｓｃであれば、ランレングスが２Ｔから９Ｔの７種類のデータパターン）毎に、シフトジッタ成分を揃えることができる。つまり、データパターン毎のジッタ分布を狭くすることに代えて、データパターン毎のジッタ分布の平均値（つまり、シフトジッタ成分）を揃えることができる。これにより、好適に且つ比較的容易にジッタを低減させる記録補償動作を行うことができる。【００３３】
上述の如くシフトジッタ成分が所望の条件を満たすように記録条件を調整する記録装置の態様では、前記測定手段は、ゼロレベルとなる点に最も近接する前記読取信号又は前記等化補正信号のサンプル値の前記データパターン毎の平均値を、前記シフトジッタ成分として測定するように構成してもよい。【００３４】
このように構成すれば、シフトジッタ成分を好適に且つ比較的容易に測定することが出きる。【００３５】
上述の如くシフトジッタ成分が所望の条件を満たすように記録条件を調整する記録装置の態様では、前記調整手段は、ランレングスが異なる複数種類の前記データパターンのうち前記シフトジッタ成分が相対的に大きいデータパターンを記録する際の前記記録条件から優先的に調整するように構成してもよい。【００３６】
このように構成すれば、データパターン毎の記録条件をランダムに調整する構成と比較して、より効率的にジッタを低減させることができる。【００３７】
本発明の記録装置に係る実施形態の他の態様は、前記記録手段は、レーザ光を照射することで前記データパターンを記録し、前記記録条件は、前記レーザ光又は該レーザ光を駆動するための駆動パルスのパルス幅及び振幅の少なくとも一つである。【００３８】
このように構成すれば、レーザ光又は駆動パルスのパルス幅や振幅を調整することで、記録補償動作を好適に行うことができる。【００３９】
本発明の記録装置に係る実施形態の他の態様では、前記読取信号の振幅レベルを所定の振幅制限値にて制限して振幅制限信号を取得すると共に、該振幅制限信号に対して高域強調フィルタリング処理を行うことで等化補正信号を取得する振幅制限フィルタリング手段と、前記等化補正信号の前記データパターンを検出する検出手段とを更に備え、前記測定手段は、前記読取手段のジッタとして、前記等化補正信号のジッタを測定し、前記調整手段は、前記検出手段により検出される前記データパターンを参照しながら、前記測定手段により測定される前記ジッタが所望の条件を満たすように前記記録条件を調整する。【００４０】
この態様によれば、振幅制限フィルタリング手段の動作により、読取信号の振幅レベルが制限される。具体的には、読取信号のうち振幅レベルが振幅制限値の上限よりも大きい又は下限より小さい信号成分は、振幅レベルが振幅制限値の上限又は下限に制限される。他方、読取信号のうち振幅レベルが振幅制限値の上限以下且つ下限以上である信号成分は、振幅レベルが制限されることはない。このように振幅レベルの制限が施された読取信号を、振幅制限信号と称する。更に、振幅制限フィルタリング手段は、振幅制限信号に対して高域強調フィルタリング処理を行う。その結果、読取信号中に含まれる最短データパターン（例えば、情報記録媒体がＤＶＤであれば、ランレングスが３Ｔのデータパターンであり、情報記録媒体がＢｌｕ−ｒａｙ  Ｄｉｓｃであれば、ランレングスが２Ｔのデータパターン）の振幅レベルが強調された状態にある等化補正信号が取得される。つまり、振幅制限フィルタリング手段は、いわゆるリミットイコライザと同様の動作を読取信号に対して行う。【００４１】
その後、測定手段の動作により、読取信号のジッタが測定されることに代えて、等化補正信号のジッタが測定される。つまり、この態様においては、記録媒体からデータパターンを読み取ることで得られる読取信号を直接的に用いてジッタを測定することに代えて、読取信号に対して振幅制限処理及び高域強調フィルタリング処理が施されることで得られる等化補正信号を用いてジッタが測定される。【００４２】
更に、検出手段の動作により、等化補正信号のデータパターンが検出される。より具体的には、等化補正信号のデータパターンが、いずれのランレングスのデータパターンであるかが検出される。検出されたデータパターンは、調整手段による記録条件の調整動作の際に参照される。【００４３】
このように、振幅制限フィルタリング手段（つまり、リミットイコライザ）の動作により最短データパターンの振幅レベルが強調された等化補正信号からデータパターンが検出される。このため、仮に読取信号のアシンメトリがどのような状態であったとしても、読取信号中に含まれる最短データパターンがゼロレベルと交差しなくなる不都合を好適に防ぐことができる。その結果、最短データパターンの検出を好適に行うことができる。このため、最短データパターンを記録するための記録条件を好適に調整することができる。これにより、最短データパターンを含む読取信号を参照しながら、記録補償動作を好適に行うことができる。つまり、記録補償前の読取信号におけるアシンメトリの状態に関わらず、記録補償動作を好適に行うことができる。【００４４】
本発明の記録装置に係る実施形態の他の態様は、前記読取信号に所定のオフセット信号を付加することでオフセット付加信号を取得する付加手段を更に備え、前記測定手段は、前記オフセット付加信号の前記ジッタを測定する。【００４５】
この態様によれば、オフセット信号の付加に応じて、後に図面を参照しながら詳述するように、記録補償前のアシンメトリの状態にかかわらず、記録補償後の読取信号のアシンメトリを所望の値に設定することができる。【００４６】
本発明の記録装置に係る実施形態の他の態様は、前記記録手段は、前記調整手段により調整された前記記録条件を記録する。この場合、記録条件は、記録装置を識別するための識別情報と対応付けて記録することが好ましい。【００４７】
この態様によれば、記録装置の識別情報と、記録条件とが記録媒体に記録される。このため、記録装置によるデータパターンの記録が行われる際に、当該記録装置の識別情報と対応する記録条件を記録媒体から読み取り且つ記録手段の記録条件として用いることで、記録条件をわざわざ調整しなくても、記録媒体に対する記録動作において、上述した各種効果と同様の効果を享受することができる。【００４８】
また、記録媒体がブランクである等の理由により、記録媒体に記録条件が記録されていなかったとしても、本実施形態においては、上述したように記録補償動作を好適に行うことができる。そして、この結果得られる記録条件を、記録装置の識別情報と対応させて、記録媒体に記録しておけば、次にデータパターンを記録する際には、わざわざ記録条件を調整しなくても、記録媒体に対する記録において、上述した各種効果と同様の効果を享受することができる。【００４９】
つまり、この態様によれば、調整手段による記録条件の調整を行うことなく又は少なくとも１回記録条件の調整を行えば、対応する記録装置において、わざわざ記録条件を調整しなくても、記録媒体に対する記録において、上述した各種効果と同様の効果を享受することができる。【００５０】
（記録方法の実施形態）
本発明の記録方法に係る実施形態は、記録媒体にデータパターンを記録する記録手段を備える記録装置における記録方法であって、前記データパターンの記録を中断するように前記記録手段を制御する第１制御工程と、前記記録媒体に記録されたデータパターンを読み取ることで読取信号を取得する読取工程と、前記読取信号のジッタを測定する測定工程と、前記測定工程において測定される前記ジッタが所望の条件を満たすように前記記録手段における記録条件を調整する調整工程と、前記調整工程において調整された前記記録条件を用いて前記データパターンの記録を再開するように前記記録手段を制御する第２制御工程とを備える。【００５１】
本発明の記録方法に係る実施形態によれば、上述した本発明の記録装置に係る実施形態が享受することができる各種効果と同様の効果を享受することができる。【００５２】
尚、上述した本発明の記録装置に係る実施形態における各種態様に対応して、本発明の記録方法に係る実施形態も各種態様を採ることが可能である。【００５３】
（コンピュータプログラムの実施形態）
本発明のコンピュータプログラムに係る実施形態は、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置（即ち、上述した本発明の記録装置に係る実施形態（但し、その各種態様を含む））に備えられたコンピュータを制御する記録制御用のコンピュータプログラムであって、該コンピュータを、前記記録手段、前記第１制御手段、前記読取手段、前記測定手段、前記調整手段及び前記第２制御手段の少なくとも一部として機能させる。【００５４】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置に係る実施形態を比較的簡単に実現できる。【００５５】
尚、上述した本発明の記録装置に係る実施形態における各種態様に対応して、本発明のコンピュータプログラムに係る実施形態も各種態様を採ることが可能である。【００５６】
本発明のコンピュータプログラム製品に係る実施形態は、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置（即ち、上述した本発明の記録装置に係る実施形態（但し、その各種態様を含む））に備えられたコンピュータにより実行可能なプログラム命令を明白に具現化し、該コンピュータを、前記記録手段、前記第１制御手段、前記読取手段、前記測定手段、前記調整手段及び前記第２制御手段のうち少なくとも一部として機能させる。【００５７】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置に係る実施形態を比較的容易に実施可能となる。更に具体的には、当該コンピュータプログラム製品は、上述した本発明の記録装置に係る実施形態として機能させるコンピュータ読取可能なコード（或いはコンピュータ読取可能な命令）から構成されてよい。【００５８】
尚、上述した本発明の記録装置に係る実施形態における各種態様に対応して、本発明のコンピュータプログラム製品に係る実施形態も各種態様を採ることが可能である。【００５９】
（記録媒体の実施形態）
本発明の記録媒体に係る第１実施形態は、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置（即ち、上述した本発明の記録装置に係る実施形態（但し、その各種態様を含む））により調整された前記記録条件を記録するための記録条件記録エリアを備える。この場合、記録条件は、当該記録条件に対応する記録装置を識別するための識別情報と対応付けて記録することが好ましい。【００６０】
本発明の記録媒体に係る第２実施形態は、記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備える記録装置により調整された前記記録条件により前記データパターンが記録される。【００６１】
本発明の記録媒体に係る各実施形態によれば、記録装置の識別情報と、記録条件とが記録媒体に記録される。このため、記録装置によるデータパターンの記録が行われる際に、当該記録媒体の識別情報と対応する記録条件を記録媒体から読み取り且つ記録手段の記録条件として用いることで、記録条件をわざわざ調整しなくても、記録媒体に対する記録動作において、上述した各種効果と同様の効果を享受することができる。【００６２】
また、記録媒体がブランクである等の理由により、記録媒体に記録条件が記録されていなかったとしても、本実施形態においては、振幅制限フィルタリング手段（つまり、リミットイコライザ）の動作により最短データパターンの振幅レベルが強調された等化補正信号からデータパターンが検出されるため、上述したように記録補償前の読取信号におけるアシンメトリの状態に関わらず、記録補償動作を好適に行うことができる。そして、この結果得られる記録条件を、記録装置の識別情報と対応させて、記録媒体に記録しておけば、次にデータパターンを記録する際には、わざわざ記録条件を調整しなくても、記録媒体に対する記録において、上述した各種効果と同様の効果を享受することができる。【００６３】
つまり、本実施形態によれば、調整手段による記録条件の調整を行うことなく又は少なくとも１回記録条件の調整を行えば、対応する記録装置において、わざわざ記録条件を調整しなくても、記録媒体に対する記録において、上述した各種効果と同様の効果を享受することができる。【００６４】
尚、記録条件は、記録媒体に予め記録されていてもよいし、或いは記録動作に伴って適宜記録されてもよい。【００６５】
尚、上述した本発明の記録装置に係る実施形態における各種態様に対応して、本発明の記録媒体に係る各実施形態も各種態様を採ることが可能である。【００６６】
本実施形態のこのような作用及び他の利得は次に説明する実施例から更に明らかにされよう。【００６７】
以上説明したように、本発明の記録装置に係る実施形態によれば、記録手段と、第１制御手段と、読取手段と、測定手段と、調整手段と、第２制御手段とを備える。本発明の記録方法に係る実施形態によれば、第１制御工程と、読取工程と、測定工程と、調整工程と、第２制御工程とを備える。本発明のコンピュータプログラムに係る実施形態によれば、コンピュータを本発明の記録装置に係る実施形態として機能させる。本発明の記録媒体に係る第１実施形態によれば、上述の調整手段により調整された記録条件を記録するための記録条件記録エリアを備える。本発明の記録媒体に係る第２実施形態によれば、上述した本発明の記録装置により調整された記録条件を用いてデータパターンが記録される。従って、記録媒体の記録感度のバラつき等に起因した記録特性の劣化をより好適に補うことができる。
【実施例】
【００６８】
以下、本発明の実施例を図面に基づいて説明する。【００６９】
（１）第１実施例
初めに、図１から図１４を参照して、本発明の記録装置に係る第１実施例について説明する。【００７０】
（１−１）基本構成
初めに、図１を参照して、第１実施例に係る記録装置の基本構成について説明を進める。ここに、図１は、第１実施例に係る記録装置１の基本構成を概念的に示すブロック図である。【００７１】
図１に示すように、第１実施例に係る記録装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、２値化回路１６と、復号回路１７と、遅延回路１８と、平均化回路１９と、パターン判別回路２０と、記録ストラテジ調整回路２１と、ＣＰＵ２２とを備えている。【００７２】
ピックアップ１１は、本発明における「記録手段」及び「読取手段」の一具体例を構成しており、スピンドルモータ１０によって回転する光ディスク１００の記録面にレーザ光ＬＢを照射した際の反射光を光電変換して、光ディスク１００に記録されたデータパターに応じた読取信号ＲＲＦを生成する。また、ピックアップ１１は、記録ストラテジ設定回路２１において設定される記録ストラテジに応じたレーザ光ＬＢを光ディスク１００の記録面に照射することで、光ディスク１００に対してデータパターンを記録する。【００７３】
ＨＰＦ１２は、ピックアップ１１より出力される読取信号ＲＲＦの低域成分を除去し、その結果得られる読取信号ＲＨＣをＡ／Ｄ変換器１３へ出力する。【００７４】
Ａ／Ｄ変換器１３は、不図示のＰＬＬ（Phased Lock Loop）等から出力されるサンプリングクロックに応じて読取信号ＲＲＦをサンプリングし、その結果得られる読取サンプル値系列ＲＳをプリイコライザ１４へ出力する。【００７５】
プリイコライザ１４は、ピックアップ１１及び光ディスク１００から構成される情報読取系の伝送特性に基づく符号間干渉を除去し、その結果得られる読取サンプル値系列ＲＳＣを２値化回路１６へ出力する。【００７６】
２値化回路１６は、読取サンプル値系列ＲＳＣに対して２値化処理を行い、その結果得られる２値化信号を復号回路１７及びパターン判別回路１９の夫々へ出力する。【００７７】
復号回路１７は、２値化信号に対して復号処理等を行い、その結果得られる再生信号を、ディスプレイやスピーカ等の外部再生機器へ出力する。その結果、光ディスク１００に記録されたデータパターンに応じたデータ（例えば、映像データや音声データ等）が再生される。【００７８】
遅延回路１８は、２値化回路１６及びパターン判別回路２０の夫々における処理に要する時間に相当する遅延を読取サンプル値系列ＲＳＣに付加した後に、該読取サンプル値系列ＲＳＣを平均化回路１９へ出力する。つまり、遅延回路１８の動作により、プリイコライザ１４から出力される読取サンプル値系列ＲＳＣ中の各サンプル値が、該サンプル値のデータパターン判別結果が入力されるタイミングと同一のタイミングで平均化回路１９へ入力される。【００７９】
平均化回路１９は、本発明における「測定手段」の一具体例を構成しており、読取サンプル値系列ＲＳＣのジッタを測定する。平均化回路１９の詳細については、後に詳述する（図５参照）。【００８０】
パターン判別回路２０は、本発明における「検出手段」の一具体例を構成しており、２値化回路１６から出力される２値化信号に基づいて、データパターンの判別を行う。つまり、パターン判別回路２０に入力される２値化信号が、どのデータパターンの２値化信号であるかを判別する。判別結果は、平均化回路１９へ出力される。【００８１】
記録ストラテジ調整回路２１は、本発明における「調整手段」の一具体例を構成しており、平均化回路１９において測定されたジッタに基づいて、データパターン毎の記録ストラテジを調整する。つまり、記録補償動作を行う。【００８２】
ＣＰＵ２２は、本発明における「第１制御手段」及び「第２制御手段」の一具体例を構成しており、記録装置１を構成する上述の各種構成要素を制御することにより、記録装置１の全体の動作を制御する。【００８３】
（１−２）光ディスク
続いて、図２を参照して、第１実施例に係る記録装置１の記録動作の対象となる光ディスク１００の基本構成について説明する。ここに、図２は、光ディスク１００の基本構造を示した概略平面図であり、該光ディスク１００の半径方向における記録領域構造の図式的概念図である。【００８４】
図２に示されるように、光ディスク１００は、例えば、ＤＶＤと同じく直径１２ｃｍ程度のディスク本体上の記録面に、センターホール１０１を中心として、本発明における「内周側エリア」の一具体例を構成する内周側ＰＣＡ（Power Calibration Area）１１１、ＲＭＡ（Recording Management Area）１１２、リードインエリア１１３、本発明における「ユーザデータエリア」の一具体例を構成するデータ記録エリア１１４、リードアウトエリア１１５及び外周側ＰＣＡ１１６が設けられている。そして、例えばセンターホール１０１を中心にスパイラル状或いは同心円状に、例えばグルーブトラック及びランドトラックが交互に設けられている。また、このトラック上には、データパターンがＥＣＣブロックという単位で分割されて記録される。ＥＣＣブロックは、エラー訂正可能なデータ管理単位である。また、本実施例においては、光ディスク１００は、一度のみデータパターンを記録することが可能な追記型記録媒体（つまり、ＤＡＯ）であってもよいし、複数回データパターンを記録することが可能な書換型記録媒体であってもよい。【００８５】
そして、グルーブトラックは、一定の振幅及び空間周波数で揺動されている。即ち、グルーブトラックは、ウォブリングされており、そのウォブルの周期は所定値に設定されている。ランドトラック上にはプリフォーマットアドレスを示すランドプリピット（ＬＰＰ：Land Pre Pit）と呼ばれるピットが形成されている。この２つのアドレッシング（即ち、ウォブル及びランドプリピット）により記録中のディスク回転制御や記録クロックの生成を行うと共に、記録アドレス等のデータパターン記録に必要な情報を得ることができる。尚、グルーブトラックのウォブルを周波数変調や位相変調など所定の変調方式により変調することによりプリフォーマットアドレスを予め記録するようにしてもよい。【００８６】
（１−３）第１動作例
続いて、図３を参照して、第１実施例に係る記録装置１の第１動作例（特に、記録補償動作）について説明する。ここに、図３は、第１実施例に係る記録装置１の第１動作例における動作の流れを概念的に示すフローチャートである。【００８７】
初めに、ＣＰＵ２２の制御の下にピックアップ１１からレーザ光ＬＢが光ディスク１００に照射されることにより、データ記録エリア１１４へのデータパターンの記録が行われる（ステップＳ１０１）。【００８８】
ここで、ＣＰＵ２２の動作により、データパターンの記録を開始してから所定時間が経過したか否かが判定される（ステップＳ１０２）。【００８９】
ステップＳ１０２における判定の結果、データパターンの記録を開始してから所定時間が経過していないと判定された場合には（ステップＳ１０２：Ｎｏ）、ステップＳ１０１へ戻り、データパターンの記録が継続される。【００９０】
他方、ステップＳ１０２における判定の結果、データパターンの記録を開始してから所定時間が経過したと判定された場合には（ステップＳ１０２：Ｙｅｓ）、ＣＰＵ２２の制御の下に、データパターンの記録が一旦中断される（ステップＳ１０３）。【００９１】
その後、ＣＰＵ２２の制御の下に、最後にデータパターンが記録されたエリア部分（つまり、記録が中断される直前にデータパターンが記録されたエリア部分）がサーチされる（ステップＳ１０４）。その後、平均化回路１９の動作により、ステップＳ１０４においてサーチされたエリア部分に記録されたデータパターンのジッタが測定される（ステップＳ１０５）。【００９２】
ここで、図４及び図５を参照して、ジッタを測定する際の動作及びジッタを測定するための平均化回路１９について説明する。ここに、図４は、平均化回路１９によるジッタの測定動作を読取サンプル値系列ＲＳＣ上で概念的に示す波形図であり、図５は、平均化回路１９の基本構成を概念的に示すブロック図である。【００９３】
図４に示すように、第１実施例においては、平均値回路１９は、ジッタを測定するために、まず、データパターン毎に、読取サンプル値系列ＲＳＣのゼロクロス点付近のサンプル値（図４中、黒丸にて示すサンプル値であって、以降適宜“ゼロクロスサンプル値”と称する）と、ゼロレベルとの間の差分（つまり、振幅方向のエッジシフト）を測定する。読取信号ＲＲＦに符号間干渉がなければ、クロックＣＬＫのタイミングでゼロレベルと概ね一致するサンプル値がゼロクロスサンプル値となるが、読取信号ＲＲＦに符合間干渉があれば、クロックＣＬＫのタイミングでゼロレベルに最も近づくサンプル値がゼロクロスサンプル値となる。【００９４】
このような動作を行うために、平均値回路１９は、図５に示すように、トリガ生成部１９１１と、トータルジッタ測定ブロック１９１と、ｎ個の個別シフトジッタ成分測定ブロック１９２−１〜１９２−ｎと、全体シフトジッタ成分測定回路１９３とを備えている。個別シフトジッタ成分測定ブロック１９２−１〜１９２−ｎの数は、データパターンの種類の組み合わせ数と一致している。つまり、光ディスク１００がＤＶＤであれば、データランレングス長は１０種類（３Tから１１T、１４T）ある。各マーク長に対し、前後のスペース長の組み合わせパターンで個別シフトジッタを分類することができる。例えば、前スペース長と各マーク長の組み合わせは、１００通り、後スペース長と各マーク長の組み合わせも、１００通りあり、全部でｎ＝２００通りになる。有効瞳径とデータランレングスを鑑み、６T以上のマーク／スペースとの組み合わせパターンでは同一の符号間干渉が発生する為、６Ｔ以上のデータを同一グループとして扱うと、ｎ＝３２に減らすことができる。光ディスク１００がＢｌｕ−ｒａｙ  Ｄｉｓｃであれば、データランレングス長は８種類（２Tから９T）あり、各マーク長に対する前後スペース長の組み合わせパターンｎ＝８＊８＊２＝１２８通りになる。ＤＶＤ同様、有効瞳径とデータランレングスを鑑み、５T以上のデータを同一グループとして扱うと、ｎ＝３２に減らすことができる。そして、個別シフトジッタ成分測定ブロック１９２−１〜１９２−ｎは、夫々が対応するデータパターンの個別シフトジッタ成分を測定する。【００９５】
遅延回路１８より出力される読取サンプル値系列ＲＳＣは、ＡＢＳ回路１９１２、並びにｎ個の加算器１９２３−１〜１９２３−ｎに入力される。また、パターン判別回路２０より出力されるパターン判別結果は、トリガ生成部１９１１に入力される。【００９６】
トリガ生成部１９１１においては、パターン判別回路２０より出力されるパターン判別結果に応じて、データパターン毎に区別されると共にデータパターンが入力されるタイミングでハイレベル（又はローレベル）になるトリガ信号を生成する。トリガ信号は、ＯＲ回路１９１７、ｎ個のサンプルホールド（Ｓ／Ｈ）回路１９２４−１〜１９１４−ｎ、及びｎ個のカウンタ１９２５−１〜１９２５−ｎに入力される。【００９７】
続いて、トータルジッタ測定ブロック１９１の動作について説明する。ＡＢＳ回路１９１２より出力されるゼロクロスサンプル値の絶対値は、加算器１９１２において加算される。加算結果は、サンプルホールド回路１９１４において、いずれかのトリガ信号がハイレベル（又はローレベル）となるタイミングで（つまり、いずれかのデータパターンがトータルジッタ測定ブロック１９１に入力されるタイミングで）サンプルホールドされる。その結果は、割算器１９１６へ出力されると共に、加算器１９１３へフィードバックされる。このため、割算器１９１６へは、全データパターンのゼロクロスサンプル値の絶対値の和が出力される。他方、カウンタ１９１５において、トリガ信号がハイレベル（又はローレベル）となった回数（つまり、トータルジッタ測定ブロック１９１に入力されたデータパターンの数）がカウントされている。カウント結果は、割算器１９１６へ出力される。割算器１９１６においては、ゼロクロスサンプル値の絶対値の和が、入力されたデータパターンの数で除算される。その結果、ゼロクロスサンプル値の絶対値の平均値が出力される。本実施例においては、ゼロクロスサンプル値の絶対値の平均値が、トータルジッタ（つまり、ランダムジッタ成分とシフトジッタ成分とを考慮した全体としてのジッタ）となる。【００９８】
続いて、個別シフトジッタ成分測定ブロック１９２−１〜１９２−ｎの動作について説明する。ここでは、光ディスク１００がＤＶＤであり、ランレングスが３Ｔスペースの後の３Ｔマークのデータパターンのゼロクロスサンプル値に対応する個別シフトジッタ成分測定ブロック１９２−１の動作について説明する。加算器１９２３−１とサンプルホールド回路１９２４−１の作用により、ランレングスが３Ｔスペースの後の３Ｔマークのデータパターンに対応するトリガ信号がハイレベル（又はローレベル）となるタイミングで（つまり、３Ｔスペース後の３Ｔマークの境界ゼロクロスサンプルが個別シフトジッタ成分測定ブロック１９２−１に入力されるタイミングで）、３Ｔスペース後の３Ｔマークの境界ゼロクロスサンプルがサンプルホールドされる。その結果は、割算器１９２６−１へ出力されると共に、加算器１９２３−１へフィードバックされる。つまり、加算器１９２３−１においては、３Ｔスペース後の３Ｔマークの境界ゼロクロスサンプル値のみが積算され、割算器１９２６−１へは、３Ｔスペース後の３Ｔマークの境界ゼロクロスサンプル値の和が出力される。他方、カウンタ１９２５−１において、トリガ信号がハイレベル（又はローレベル）となった回数（つまり、個別シフトジッタ成分測定ブロック１９２−１に入力された３Ｔスペース後の３Ｔマークの境界ゼロクロスサンプルの数）Ｎ（１）がカウントされている。カウント結果は、割算器１９２６−１へ出力される。割算器１９２６−１においては、３Ｔスペース後の３Ｔマークの境界ゼロクロスサンプル値の和が、入力されたＮ（１）で除算される。その結果、３Ｔスペース後の３Ｔマークの境界ゼロクロスサンプル値の平均値Ｓ（１）が出力される。この動作は、他の個別シフトジッタ成分測定ブロック１９２−２〜１９２−ｎにおいても、対応するデータパターン毎に行われる。本実施例においては、データパターン毎のゼロクロスサンプル値の平均値が、個別シフトジッタ成分Ｓ（１）〜Ｓ（ｎ）となる。【００９９】
データパターン毎の個別シフトジッタ成分Ｓ（１）〜Ｓ（ｎ）は、全体シフトジッタ成分測定回路１９３へも出力される。また、トリガ信号がハイレベルとなった回数Ｎ（１）〜Ｎ（ｎ）もまた、全体シフトジッタ成分測定回路１９３へ出力される。全体シフトジッタ成分測定回路１９３においては、数式１に示す演算処理を行うことで、データパターン毎の個別シフトジッタ成分の出現確率を考慮した、全体としてのシフトジッタ成分が出力される。【０１００】
【数１】
2009016752.tif 000003
【０１０１】
再び図３において、続いて、ＣＰＵ２２の制御の下に、ステップＳ１０５において測定されたジッタのうちの個別シフトジッタ成分が、第１閾値よりも小さいか否かが判定される（ステップＳ１０６）。この判定は、データパターン毎に行われる。つまり、この判定は、個別シフトジッタ成分測定ブロック１９２−１〜１９２−ｎにおいて測定された個別シフトジッタ成分の夫々について行われる。具体的には、光ディスク１００がＤＶＤであり、６Ｔ以上を同一グループとして扱うと、３Ｔマークについては、前スペースのランレングスが３Ｔのデータパターンにおける判定と、前スペースのランレングスが４Ｔのデータパターンにおける判定と、前スペースのランレングスが５Ｔのデータパターンにおける判定と、前スペースのランレングスが６Ｔ以上のデータパターンにおける判定とが行われる。同様に、４Ｔ以上のマークについても、前スペースが３Ｔ、４Ｔ、５Ｔ、６Ｔ以上のデータパターンにおける判定が行われる。３Ｔ、４Ｔ、５Ｔ、６Ｔ以上のマークに対して、後スペースのランレングスが３Ｔ、４Ｔ、５Ｔ、６Ｔ以上のデータパターンにおける判定が行われる。６Ｔ以上を統一グループとして扱ったが、タンジェンシャルチルトによるコマ収差等の影響まで記録補償するのであれば、その影響のでるデータパターンまで扱っても良いし、３Ｔから１１Ｔ、１４Ｔを個別に扱っても良い。他方、光ディスク１００がＢｌｕ−ｒａｙ  Ｄｉｓｃであり、５Ｔ以上を同一グループとして扱うと、２Ｔ、３Ｔ、４Ｔ、５Ｔ以上のマークについては、前スペースまたは後スペースが２Ｔ、３Ｔ、４Ｔ、５Ｔ以上のデータパターンにおける判定が行われる。５Ｔ以上を統一グループとして扱ったが、ＤＶＤ同様、タンジェンシャルチルトによるコマ収差等の影響まで記録補償するのであれば、その影響のでるデータパターンまで扱っても良いし、２Ｔから９Ｔを個別に扱っても良い。【０１０２】
尚、第１閾値は、全てのデータパターンに共通の値を用いてもよいし、データパターン毎に（或いは、複数のデータパターンを含むグループ毎に）個別の値を用いてもよい。また、具体的な第１閾値の値は、例えば、ジッタに占めるランダムジッタ成分の比率が所定値（例えば、後述するように概ね８０％）以上となる状態を実現できるように設定されることが好ましい。尚、トータルジッタに対するランダムジッタ成分の比率が概ね８０％以上となるように記録補償動作を行ってもよいが、トータルジッタをより多く低減するためには、トータルジッタに対するランダムジッタ成分の比率が概ね９０％以上となるように記録補償動作を行ってもよい。【０１０３】
ステップＳ１０６における判定の結果、少なくとも１つの又は全てのデータパターンのシフトジッタ成分が第１閾値よりも小さいと判定された場合には（ステップＳ１０６：Ｙｅｓ）、ＣＰＵ２２の制御の下に、記録補償動作を行うことなく、ステップＳ１０３において中断された記録動作が再度開始される（ステップＳ１０８）。記録動作を再開する場合には、記録動作が中断された位置に続いて、データパターンの記録が再開される。【０１０４】
他方、ステップＳ１０６における判定の結果、少なくとも１つの又は全てのデータパターンのシフトジッタ成分が第１閾値よりも小さくないと判定された場合には（ステップＳ１０６：Ｎｏ）、記録補償動作であるストラテジの調整動作が行われる（ステップＳ１０７）。【０１０５】
ここでは、第１閾値よりも小さくないと判定されたシフトジッタ成分に対応するデータパターンに対して記録補償を行ってもよいし、第１閾値よりも小さくないと判定されたシフトジッタ成分に対応するデータパターンに加えて、第１閾値よりも小さいと判定されたシフトジッタ成分に対応するデータパターンに対しても記録補償を行ってもよい。【０１０６】
ここで、図６を参照して、図３のステップＳ１０７における記録補償動作について説明する。ここに、図６は、記録補償前のデータパターン毎のジッタ分布及び全体としてのジッタ分布、並びに記録補償後のデータパターン毎のジッタ分布及び全体としてのジッタ分布の夫々の状態を概念的に示すグラフである。データパターン毎の分布の平均値が個別シフトジッタ成分となる。【０１０７】
図６に示すように、第１実施例においては、データパターン毎の個別シフトジッタ成分のばらつきをなくすような記録補償動作が行われる。より具体的には、図６の左側に示すように、データパターン毎のジッタの分布が、縦方向の矢印にて示すクロックの立ち上がり点を基準としてばらつきを有している場合には、図６の右側に示すように、データパターン毎のジッタの分布がクロックの立ち上がり点に向かってシフトするように、記録補償動作が行われる。言い換えれば、データパターン毎のジッタの分布が、クロックの立ち上がり点において又はその近傍付近において揃うように、記録補償動作が行われる。更に言い換えれば、データパターン毎のジッタの分布が同一となるように、記録補償動作が行われる。その結果、全体としてのジッタの分布（つまり、トータルジッタの分布）は、クロックの立ち上がり位置等を中心として正規分布となる。つまり、本実施例における記録補償動作においては、データパターン毎のジッタの分布の幅を狭くすることに代えて（言い換えれば、ランダムジッタ成分を低減することに代えて）、データパターン毎のジッタの分布の平均値をそろえている。これは、データパターン毎の個別シフトジッタ成分を低減させる動作に相当する。【０１０８】
データパターン毎の個別シフトジッタ成分を低減するために、記録ストラテジ調整回路２１は、例えば図７から図９に示すように記録ストラテジを調整する。ここに、図７は、記録ストラテジの調整動作の第１の態様を概念的に示すタイミングチャートであり、図８は、記録ストラテジの調整動作の第２の態様を概念的に示すタイミングチャートであり、図９は、記録ストラテジの調整動作の第３の態様を概念的に示すタイミングチャートである。【０１０９】
例えば、図７に示すように、データパターン（記録データ）を記録するためのレーザ光の波形を規定する記録パルス（つまり、記録ストラテジ）のパルス幅を調整するように構成してもよい。【０１１０】
また、図８に示すように、データパターン（記録データ）を記録するためのレーザ光の波形を規定する記録パルス（つまり、記録ストラテジ）の振幅（例えば、トップパルスの振幅Ｐｏや、ミドルパルスの振幅Ｐｍや、ボトムパルスの振幅Ｐｂ）を調整するように構成してもよい。ここでは、図８の一番上の記録パルスにて示すように、ランレングスが３Ｔ及び４Ｔのデータパターンに対応する記録パルスの振幅と、ランレングスが５Ｔ以上のデータパターンに対応する記録パルスの振幅とを別々に調整してもよい。或いは、図８の上から２番目の記録パルスにて示すように、ランレングスが３Ｔのデータパターンに対応する記録パルスの振幅と、ランレングスが４Ｔのデータパターンに対応する記録パルスの振幅と、ランレングスが５Ｔのデータパターンに対応する記録パルスの振幅と、ランレングスが６Ｔ以上のデータパターンに対応する記録パルスの振幅とを別々に調整してもよい。或いは、図８の上から３番目の記録パルスにて示すように、ランレングスが３Ｔのデータパターンに対応する記録パルスの振幅と、ランレングスが４Ｔのデータパターンに対応する記録パルスの振幅と、ランレングスが５Ｔ以上のデータパターンに対応する記録パルスの振幅とを別々に調整してもよい。或いは、図８の上から４番目の記録パルスにて示すように、ランレングスが３Ｔのデータパターンに対応する記録パルスの振幅と、ランレングスが４Ｔ以上のデータパターンに対応する記録パルスの振幅とを別々に調整してもよい。【０１１１】
また、図９に示すように、記録パルスがキャッスル型以外であっても、図８に示す場合と同様に、データパターン（記録データ）を記録するためのレーザ光の波形を規定する記録パルス（つまり、記録ストラテジ）の振幅を調整するように構成してもよい。【０１１２】
もちろん、図７に示すような記録パルスのパルス幅の調整と、図８及び図９に示すような記録パルスの振幅の調整とを適宜組み合わせることで、記録ストラテジの調整を行ってもよいことは言うまでもない。【０１１３】
以上説明したように、第１実施例に係る記録装置１によれば、記録補償動作を行うことで、トータルジッタを低減することができる。更には、トータルジッタを低減することに加えて、アシンメトリをも安定させることができる（言い換えれば、好適な値に維持することができる）。ここで、図１０及び図１１を参照して、第１実施例におけるトータルジッタの低減効果及びアシンメトリの安定化効果について、記録補償動作を行うことなく、レーザ光のパワーのみを補正する記録装置（例えば、上述した特許文献１に開示された記録装置）におけるトータルジッタ及びアシンメトリと対比付けながら説明する。ここに、図１０は、第１実施例に係る記録装置１により記録されたデータパターンのトータルジッタ及びアシンメトリを概念的に示すグラフであり、図１１は、記録補償動作を行うことなく、レーザ光ＬＢのパワーのみを補正する記録装置におけるトータルジッタ及びアシンメトリを概念的に示すグラフである。【０１１４】
図１０の上側に示すように、第１実施例に係る記録装置１により記録されたデータパターンのトータルジッタは、光ディスク１００の全面に渡って概ね６％台を維持することができる。つまり、光ディスク１００の全面に渡ってトータルジッタを低減させることができる。この場合、アシンメトリは、図１０の下側に示すように、光ディスク１００の前面に渡って概ね０％から２％程度で安定化させることができる。【０１１５】
他方で、図１１の上側に示すように、レーザ光ＬＢのパワーのみを補正する記録装置により記録されたデータパターンのアシンメトリは、多少のばらつきを有しているものの、光ディスク１００の全面に渡って概ね２％から５％で安定している。これは、レーザ光ＬＢのパワーの補正動作（つまり、Ｒｅａｄ  ＯＰＣ動作）が、アシンメトリ（或いは、β値）をパラメータとしていることに起因して、アシンメトリが概ね同様の値をとるようにパワーが補正されるからである。しかしながら、トータルジッタは、図１１の下側に示すように、光ディスク１００の半径位置に応じて大きくばらつくことが分かる。特に、光ディスク１００の外周側（半径位置が５０ｍｍ以上の部分）において、トータルジッタが大きく悪化している。これは、レーザ光ＬＢのパワーを一律に補正することにより、上述したデータパターン毎の個別シフトジッタ成分にずれが生じてしまい、結果としてトータルジッタが悪化することにつながるためである。【０１１６】
しかるに、第１実施例に係る記録装置１によれば、レーザ光ＬＢのパワーのみを一律に補正することに代えて、ストラテジを調整しているため、データパターン毎の個別シフトジッタ成分のずれをなくすことができる。その結果、トータルジッタを好適に低減させることができる。その一方で、ストラテジが最適に調整されているため、アシンメトリをも好適に安定化させることができる。このように、第１実施例に係る記録装置１によれば、背景技術において提示された記録装置と比較して、アシンメトリのみならずトータルジッタをも好適な値に維持することができるという大きな利点を享受することができる。【０１１７】
（１−４）第２動作例
続いて、図１２を参照して、第１実施例に係る情報記録装置１の第２動作例について説明する。ここに、図１２は、第１実施例に係る情報記録装置１の第２動作例の動作の流れを概念的に示すフローチャートである。尚、上述した第１動作例と同一の動作については、同一のステップ番号を付して、その詳細な説明については省略する。【０１１８】
図１２に示すように、第２動作例においても、第１動作例において説明したステップＳ１０１からステップＳ１０４の動作が行われる。【０１１９】
その後、平均化回路１９の動作により、トータルジッタが測定される（ステップＳ２０１）。その後、ＣＰＵ２２の動作により、トータルジッタが第２閾値以下であるか否かが判定される（ステップＳ２０２）。ここで用いる第２閾値は、例えば光ディスク１００の規格において定められた値であってもよいし、或いは記録動作ないしは再生動作に影響を与えない程度のジッタの値であってもよい。或いは、第２閾値は、例えば１２％であってもよいし、１０％であってもよいし、８％であってもよいし、それ以下であってもよい。【０１２０】
ステップＳ２０２における判定の結果、トータルジッタが第２閾値以下であると判定された場合には（ステップＳ２０２：Ｙｅｓ）、記録補償動作を行うことなく、ステップＳ１０３において中断された記録動作が再度開始される（ステップＳ１０８）。【０１２１】
他方、ステップＳ２０２における判定の結果、トータルジッタが第２閾値以下でないと判定された場合には（ステップＳ２０２：Ｎｏ）、第１動作例において説明したステップＳ１０５からステップＳ１０７の動作が行われた後、ステップＳ１０３において中断された記録動作が再度開始される（ステップＳ１０８）。【０１２２】
このように、第２動作例によれば、第１動作例によって享受することができる効果と同一の効果を好適に享受することができる。加えて、トータルジッタが第２閾値以下であれば（つまり、トータルジッタが良好であれば）、記録補償動作を必ずしも行う必要がなくなる。このため、情報記録装置１の動作負荷を低減することができる。【０１２３】
（２）第２実施例
続いて、図１３を参照して、本発明の記録装置に係る第２実施例について説明する。ここに、図１３は、第２実施例に係る記録装置２の基本構成を概念的に示すブロック図である。尚、上述した第１実施例に係る情報記録再生装置１と同一の構成については、同一の参照符号を付して、その詳細な説明については省略する。【０１２４】
図１３に示すように、第２実施例に係る記録装置２は、第１実施例に係る記録装置１と同様に、スピンドルモータ１０と、ピックアップ１１と、ＨＰＦ１２と、Ａ／Ｄ変換器１３と、プリイコライザ１４と、２値化回路１６と、復号回路１７と、遅延回路１８と、平均化回路１９と、パターン判別回路２０と、記録ストラテジ設定回路２１と、ＣＰＵ２２とを備えている。【０１２５】
第２実施例に係る記録装置２は特に、プリイコライザ１４と遅延回路１８及び２値化回路１６との間にリミットイコライザ１５を備えている。リミットイコライザ１５は、本発明における「振幅制限フィルタリング手段」の一具体例を構成しており、符号間干渉を増加させることなく読取サンプル値系列ＲＳＣに対して高域強調処理を施し、その結果得られる高域強調読取サンプル値系列ＲＳＨを、２値化回路１６及び遅延回路１８の夫々へ出力する。尚、リミットイコライザ１５の動作自体は、従来のリミットイコライザの動作と同一である。その詳細については、特許第３４５９５６３号等を参照されたい。【０１２６】
その結果、リミットイコライザ１５の後段に位置する２値化回路１６と、復号回路１７と、遅延回路１８と、平均化回路１９と、パターン判別回路２０と、記録ストラテジ調整回路２１と、ＣＰＵ２２とは、読取サンプル値系列ＲＳＣに代えて、高域強調読取サンプル値系列ＲＳＨを用いて動作を行う。【０１２７】
このように、第２実施例によれば、リミットイコライザ１５の出力（つまり、高域強調読取サンプル値系列ＲＳＨ）を用いてパターン判別すると共に、記録補償動作を行っている。つまり、最短データパターンの振幅レベルが強調された状態でパターン判別すると共に、記録補償動作を行っている。仮に読取信号のアシンメトリがどのような状態（例えば、ＯＰＣのパワー選択を誤った場合や、すでにデータパターンが記録されている光ディスクに更にデータパターンを追記するために、ＯＰＣを行ってからいきなり外周付近に記録しなければならない場合など、アシンメトリが大きくずれた状態にある場合）であったとしても、読取信号中に含まれる最短データパターンがゼロレベルと交差しなくなる状態を好適に防ぐことができる。その結果、最短データパターンの検出を好適に行うことができる。これにより、最短データパターンを含む読取信号を参照しながら、記録補償動作を好適に行うことができる。つまり、記録補償前の読取信号におけるアシンメトリの状態に関わらず、記録補償動作を好適に行うことができる。【０１２８】
（３）第３実施例
続いて、図１４を参照して、本発明の記録装置に係る第３実施例について説明する。ここに、図１４は、第３実施例に係る記録装置３の基本構成を概念的に示すブロック図である。尚、上述した第１実施例に係る情報記録再生装置１及び第２実施例に係る記録装置２と同一の構成については、同一の参照符号を付して、その詳細な説明については省略する。【０１２９】
図１４に示すように、第３実施例に係る記録装置３は、第２実施例に係る記録装置２と同様に、スピンドルモータ１０と、ピックアップ１１と、ＨＰＦ１２と、Ａ／Ｄ変換器１３と、プリイコライザ１４と、リミットイコライザ１５と、２値化回路１６と、復号回路１７と、遅延回路１８と、平均化回路１９と、パターン判別回路２０と、記録ストラテジ設定回路２１と、ＣＰＵ２２とを備えている。【０１３０】
第３実施例に係る記録装置３は特に、夫々が本発明における「付加手段」の一具体例を構成している、加算器２３と、リファレンスレベル検出回路２４とを備えている。【０１３１】
リファレンスレベル検出回路２４は、実際に検出されたアシンメトリと、目標とするアシンメトリとの差分をオフセットＯＦＳとして加算器２３へ出力する。加算器では、リファンレンスレベル検出回路２４より出力されるＯＦＳが、リミットイコライザ１５より出力される高域強調読取サンプル値系列ＲＳＨに加えられる。これにより、高域強調読取サンプル値系列ＲＳＨにおけるリファレンスレベルを所望の値に設定することができる。【０１３２】
尚、リファレンスレベル検出回路２４において読取信号より検出する信号は、上述したアシンメトリに限らず、β値であってもよい。或いは、ランレングスが最も短い記録データに対応する読取信号の振幅中心と、ランレングスが２番目に短い記録データに対応する読取信号の振幅中心とのずれを示す部分β値であってもよい。或いは、全ての種類のランレングスの記録データ（例えば、光ディスク１００がＤＶＤであればランレングス３Ｔから１１Ｔ及び１４Ｔの夫々の記録データであり、光ディスク１００がＢｌｕ−ｒａｙ  Ｄｉｓｃであればランレングス２Ｔから９Ｔの記録データ）に対応する夫々の読取信号の振幅中心（つまり、リファレンスレベルであり、本実施例においてはゼロレベル）に対する、ランレングスが最も短い記録データに対応する読取信号の振幅中心の乖離率を示すα値であってもよい。【０１３３】
このような構成を採用することで、第３実施例に係る記録装置３は、リファレンスレベルを変更することができ、その結果、記録補償後の読取信号のアシンメトリを自由に設定することができる。従って、所望のアシンメトリで且つ最適なジッタ値を実現するような記録補償動作を行うことができる。例えば、光ディスク１００がＤＶＤであれば、アシンメトリが＋５％付近となり且つジッタが最小となる状態を実現するような記録補償動作を行うことができる。同様に、光ディスクがＢｌｕ−ｒａｙ  Ｄｉｓｃであれば、アシンメトリが＋２．５％付近となり且つジッタが最小となる状態を実現するような記録補償動作を行うことができる。【０１３４】
また、記録補償前の読取信号のアシンメトリに依存することなく、記録補償後の読取信号のアシンメトリを所望の値に設定することができるため、記録装置３や光ディスク１００の個体差によるアシンメトリのばらつきがあったとしても、良好な記録補償動作を行うことができる。【０１３５】
また、検出されたアシンメトリと目標アシンメトリとの差分に相当するオフセットを加算する構成（つまり、記録補償前のアシンメトリにオフセットを加算することで、記録補償後に所望のアシンメトリを得る構成）を採用しているため、記録補償動作を複数回行うことで記録補償前のアシンメトリが変動する場合であっても、アシンメトリを所望の値に設定することができる。【０１３６】
更に、記録パワー（つまり、記録パルスの振幅）を調整してアシンメトリの調整を行う必要がなくなるため、記録条件の調整動作の簡素化を実現することができると共に、記録条件の調整動作に要する時間を短縮することができる。【０１３７】
尚、第３実施例においては、リミットイコライザ１５から出力される高域強調読取サンプル値系列ＲＳＨを用いて記録補償動作を行っている。しかしながら、記録補償後の読取信号のアシンメトリを所望の値に設定することができるという観点からは、リミットイコライザ１５から出力される高域強調読取サンプル値系列ＲＳＨを用いて記録補償動作を行う必要は必ずしもない。つまり、プリイコライザ１４から出力される読取サンプル値系列ＲＳＣを用いて記録補償動作を行っても、記録補償後の読取信号のアシンメトリを所望の値に設定することができるという効果を享受することができることは言うまでもない。従って、第３実施例においては、リミットイコライザ１５は必ずしも備えていなくともよい。【０１３８】
尚、記録補償動作の結果は、記録動作の都度適宜光ディスク１００に記録されてもよい。つまり、ユーザによる記録動作が行われる際に適宜光ディスク１００に記録されてもよい。或いは、光ディスク１００の製造時に、エンボスピットやプリライト等により予め光ディスク１００に記録されていてもよい。この場合、例えば図２において示したＲＭＡ１１２に記録されてもよいし、或いはリードインエリア１１３内のＣＤＺ（Control Data Zone）に記録されてもよいし、或いは他のエリア部分に記録されてもよい。いずれの場合であっても、上述した効果を好適に享受することができる。この場合、記録補償動作の結果を示す情報を、記録補償動作を行った記録装置１（或いは、２又は３）を識別することができる識別情報と関連付けて記録することが好ましい。【０１３９】
このように、記録補償動作の結果を示す情報や記録補償動作を行った記録装置１を識別することができる識別情報を、光ディスク１００に記録することで、記録装置１によるデータパターンの記録が行われる際に、当該記録装置１の識別情報と対応する記録補償動作の結果を光ディスク１００から読み取ることができる。このため、読み取った記録補償動作の結果を用いて上述した記録条件を設定すれば、記録補償動作を行わなくても、光ディスク１００に対する記録動作において、上述した各種効果と同様の効果を享受することができる。【０１４０】
また、当該記録装置１の識別情報と対応する記録補償動作の結果が光ディスク１００に記録されていない場合であっても、当該記録装置１の識別情報に近い識別情報（言い換えれば、当該記録装置１の特性と似ている他の記録装置の識別情報）と対応する記録補償動作の結果を光ディスク１００から読み取り且つ読み取った記録補償動作の結果を用いて上述した記録条件を設定すれば、同様の効果を相応に享受することができる。或いは、当該記録装置１の識別情報に近い識別情報と対応する記録補償動作の結果に基づいて、簡易的な記録補償動作を行っても、同様の効果を相応に享受することができる。【０１４１】
更に、光ディスク１００がブランクである等の理由により、光ディスク１００に記録補償動作の結果を示す情報が記録されていなかったとしても、上述した各実施例に係る各記録装置を用いれば、記録補償動作を好適に行うことができる。そして、この結果得られる記録条件を、記録装置１の識別情報と対応させて、光ディスク１００に記録しておけば、次にデータパターンを記録する際には、わざわざ記録補償動作を行わなくても、光ディスク１００に対する記録において、上述した各種効果と同様の効果を享受することができる。【０１４２】
つまり、記録補償動作を行うことなく又は少なくとも１回記録補償動作を行えば、対応する記録装置１において、わざわざ記録補償動作を行わなくても、光ディスク１００に対する記録において、上述した各種効果と同様の効果を享受することができる。従って、記録補償動作を行う回数を減少させることができるため、記録補償動作に必要なエリアを節約することができる。【０１４３】
本発明は、上述した実施例に限られるものではなく、請求の範囲及び明細書全体から読み取れる発明の要旨或いは思想に反しない範囲で適宜変更可能であり、そのような変更を伴う記録装置及び方法、コンピュータプログラム、並びに記録媒体もまた本発明の技術的範囲に含まれるものである。
【図１】
2009016752.tif 000004
【図２】
2009016752.tif 000005
【図３】
2009016752.tif 000006
【図４】
2009016752.tif 000007
【図５】
2009016752.tif 000008
【図６】
2009016752.tif 000009
【図７】
2009016752.tif 000010
【図８】
2009016752.tif 000011
【図９】
2009016752.tif 000012
【図１０】
2009016752.tif 000013
【図１１】
2009016752.tif 000014
【図１２】
2009016752.tif 000015
【図１３】
2009016752.tif 000016
【図１４】
2009016752.tif 000017
【手続補正書】
【提出日】平成20年7月14日(2008.7.14)
【手続補正１】
【補正対象書類名】特許請求の範囲
【補正対象項目名】全文
【補正方法】変更
【補正の内容】
【特許請求の範囲】
【請求項１】
記録媒体にデータパターンを記録する記録手段と、
前記データパターンの記録を中断するように前記記録手段を制御する第１制御手段と、
記録を中断する直前に記録された前記データパターンを読み取ることで読取信号を取得する読取手段と、
前記読取信号に所定のオフセット信号を付加することでオフセット付加信号を取得する付加手段と、
前記オフセット付加信号のジッタを測定する測定手段と、
前記測定手段により測定される前記ジッタが所望の条件を満たすように前記記録手段における記録条件を調整する調整手段と、
前記調整手段により調整された前記記録条件を用いて前記データパターンの記録を再開するように前記記録手段を制御する第２制御手段と
を備え、
前記オフセット信号は、前記読取信号のアシンメトリと目標アシンメトリとの差分に相当する信号であることを特徴とする記録装置。
【請求項２】
前記記録媒体は、ユーザデータに相当する前記データパターンを記録するためのデータ記録エリアを備えており、
前記第１制御手段は、前記データ記録エリアに前記ユーザデータに相当する前記データパターンを記録している任意のタイミングで、前記データパターンの記録を中断するように前記記録手段を制御することを特徴とする請求の範囲第１項に記載の記録装置。
【請求項３】
前記測定手段は、前記ジッタとして、前記ジッタのうちの記録される前記データパターンの状態に起因したシフトジッタ成分を測定し、
前記調整手段は、前記ジッタとしての前記シフトジッタ成分が前記所望の条件を満たすように前記記録条件を調整することを特徴とする請求の範囲第１項に記載の記録装置。
【請求項４】
前記ジッタが前記所望の条件を満たす状態は、前記シフトジッタ成分が第１所定値以下となる状態であることを特徴とする請求の範囲第３項に記載の記録装置。
【請求項５】
前記ジッタが前記所望の条件を満たす状態は、前記ジッタのうちのノイズに起因したランダムジッタ成分が、前記ジッタに占める比率が第２所定値以上となる状態であることを特徴とする請求の範囲第３項に記載の記録装置。
【請求項６】
前記ジッタが前記所望の条件を満たす状態は、ランレングスが異なる複数種類の前記データパターン毎の前記シフトジッタ成分が略同一となる状態であることを特徴とする請求の範囲第３項に記載の記録装置。
【請求項７】
前記測定手段は、ゼロレベルとなる点に最も近接する前記読取信号のサンプル値の前記データパターンごとの平均値を、前記シフトジッタ成分として測定することを特徴とする請求の範囲第３項に記載の記録装置。
【請求項８】
前記調整手段は、ランレングスが異なる複数種類の前記データパターンのうち前記シフトジッタ成分が相対的に大きいデータパターンを記録する際の前記記録条件から優先的に調整することを特徴とする請求の範囲第３項に記載の記録装置。
【請求項９】
前記記録手段は、レーザ光を照射することで前記データパターンを記録し、
前記記録条件は、前記レーザ光又は該レーザ光を駆動するための駆動パルスのパルス幅及び振幅の少なくとも一つであることを特徴とする請求の範囲第１項に記載の記録装置。
【請求項１０】
前記読取信号の振幅レベルを所定の振幅制限値にて制限して振幅制限信号を取得すると共に、該振幅制限信号に対して高域強調フィルタリング処理を行うことで等化補正信号を取得する振幅制限フィルタリング手段と、
前記等化補正信号の前記データパターンを検出する検出手段と
を更に備え、
前記測定手段は、前記読取手段のジッタとして、前記等化補正信号のジッタを測定し、
前記調整手段は、前記検出手段により検出される前記データパターンを参照しながら、前記測定手段により測定される前記ジッタが所望の条件を満たすように前記記録条件を調整することを特徴とする請求の範囲第１項に記載の記録装置。
【請求項１１】
（削除）
【請求項１２】
前記記録手段は、前記調整手段により調整された前記記録条件を記録することを特徴とする請求の範囲第１項に記載の記録装置。
【請求項１３】
記録媒体にデータパターンを記録する記録手段を備える記録装置における記録方法であって、
前記データパターンの記録を中断するように前記記録手段を制御する第１制御工程と、
前記記録媒体に記録されたデータパターンを読み取ることで読取信号を取得する読取工程と、
前記読取信号に所定のオフセット信号を付加することでオフセット付加信号を取得する付加工程と、
前記オフセット付加信号のジッタを測定する測定工程と、
前記測定工程において測定される前記ジッタが所望の条件を満たすように前記記録手段における記録条件を調整する調整工程と、
前記調整工程において調整された前記記録条件を用いて前記データパターンの記録を再開するように前記記録手段を制御する第２制御工程と
を備え、
前記オフセット信号は、前記読取信号のアシンメトリと目標アシンメトリとの差分に相当する信号であることを特徴とする記録方法。
【請求項１４】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号に所定のオフセット信号を付加することでオフセット付加信号を取得する付加手段と、前記オフセット付加信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備え、前記オフセット信号は、前記読取信号のアシンメトリと目標アシンメトリとの差分に相当する信号である記録装置に備えられたコンピュータを制御する記録制御用のコンピュータプログラムであって、
該コンピュータを、前記記録手段、前記第１制御手段、前記読取手段、前記付加手段、前記測定手段、前記調整手段及び前記第２制御手段の少なくとも一部として機能させることを特徴とするコンピュータプログラム。
【請求項１５】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号に所定のオフセット信号を付加することでオフセット付加信号を取得する付加手段と、前記オフセット付加信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備え、前記オフセット信号は、前記読取信号のアシンメトリと目標アシンメトリとの差分に相当する信号である記録装置により調整された前記記録条件を記録するための記録条件記録エリアを備えることを特徴とする記録媒体。
【請求項１６】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号に所定のオフセット信号を付加することでオフセット付加信号を取得する付加手段と、前記オフセット付加信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備え、前記オフセット信号は、前記読取信号のアシンメトリと目標アシンメトリとの差分に相当する信号である記録装置により調整された前記記録条件により前記データパターンが記録されることを特徴とする記録媒体。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
記録媒体にデータパターンを記録する記録手段と、
前記データパターンの記録を中断するように前記記録手段を制御する第１制御手段と、
記録を中断する直前に記録された前記データパターンを読み取ることで読取信号を取得する読取手段と、
前記読取信号に所定のオフセット信号を付加することでオフセット付加信号を取得する付加手段と、
前記オフセット付加信号のジッタを測定する測定手段と、
前記測定手段により測定される前記ジッタが所望の条件を満たすように前記記録手段における記録条件を調整する調整手段と、
前記調整手段により調整された前記記録条件を用いて前記データパターンの記録を再開するように前記記録手段を制御する第２制御手段と
を備え、
前記オフセット信号は、前記読取信号のアシンメトリと目標アシンメトリとの差分に相当する信号であることを特徴とする記録装置。
【請求項２】
前記記録媒体は、ユーザデータに相当する前記データパターンを記録するためのデータ記録エリアを備えており、
前記第１制御手段は、前記データ記録エリアに前記ユーザデータに相当する前記データパターンを記録している任意のタイミングで、前記データパターンの記録を中断するように前記記録手段を制御することを特徴とする請求項１に記載の記録装置。
【請求項３】
前記測定手段は、前記ジッタとして、前記ジッタのうちの記録される前記データパターンの状態に起因したシフトジッタ成分を測定し、
前記調整手段は、前記ジッタとしての前記シフトジッタ成分が前記所望の条件を満たすように前記記録条件を調整することを特徴とする請求項１に記載の記録装置。
【請求項４】
前記ジッタが前記所望の条件を満たす状態は、前記シフトジッタ成分が第１所定値以下となる状態であることを特徴とする請求項３に記載の記録装置。
【請求項５】
前記ジッタが前記所望の条件を満たす状態は、前記ジッタのうちのノイズに起因したランダムジッタ成分が、前記ジッタに占める比率が第２所定値以上となる状態であることを特徴とする請求項３に記載の記録装置。
【請求項６】
前記ジッタが前記所望の条件を満たす状態は、ランレングスが異なる複数種類の前記データパターン毎の前記シフトジッタ成分が略同一となる状態であることを特徴とする請求項３に記載の記録装置。
【請求項７】
前記測定手段は、ゼロレベルとなる点に最も近接する前記読取信号のサンプル値の前記データパターンごとの平均値を、前記シフトジッタ成分として測定することを特徴とする請求項３に記載の記録装置。
【請求項８】
前記調整手段は、ランレングスが異なる複数種類の前記データパターンのうち前記シフトジッタ成分が相対的に大きいデータパターンを記録する際の前記記録条件から優先的に調整することを特徴とする請求項３に記載の記録装置。
【請求項９】
前記記録手段は、レーザ光を照射することで前記データパターンを記録し、
前記記録条件は、前記レーザ光又は該レーザ光を駆動するための駆動パルスのパルス幅及び振幅の少なくとも一つであることを特徴とする請求項１に記載の記録装置。
【請求項１０】
前記読取信号の振幅レベルを所定の振幅制限値にて制限して振幅制限信号を取得すると共に、該振幅制限信号に対して高域強調フィルタリング処理を行うことで等化補正信号を取得する振幅制限フィルタリング手段と、
前記等化補正信号の前記データパターンを検出する検出手段と
を更に備え、
前記測定手段は、前記読取手段のジッタとして、前記等化補正信号のジッタを測定し、
前記調整手段は、前記検出手段により検出される前記データパターンを参照しながら、前記測定手段により測定される前記ジッタが所望の条件を満たすように前記記録条件を調整することを特徴とする請求項１に記載の記録装置。
【請求項１１】
前記記録手段は、前記調整手段により調整された前記記録条件を記録することを特徴とする請求項１に記載の記録装置。
【請求項１２】
記録媒体にデータパターンを記録する記録手段を備える記録装置における記録方法であって、
前記データパターンの記録を中断するように前記記録手段を制御する第１制御工程と、
前記記録媒体に記録されたデータパターンを読み取ることで読取信号を取得する読取工程と、
前記読取信号に所定のオフセット信号を付加することでオフセット付加信号を取得する付加工程と、
前記オフセット付加信号のジッタを測定する測定工程と、
前記測定工程において測定される前記ジッタが所望の条件を満たすように前記記録手段における記録条件を調整する調整工程と、
前記調整工程において調整された前記記録条件を用いて前記データパターンの記録を再開するように前記記録手段を制御する第２制御工程と
を備え、
前記オフセット信号は、前記読取信号のアシンメトリと目標アシンメトリとの差分に相当する信号であることを特徴とする記録方法。
【請求項１３】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号に所定のオフセット信号を付加することでオフセット付加信号を取得する付加手段と、前記オフセット付加信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備え、前記オフセット信号は、前記読取信号のアシンメトリと目標アシンメトリとの差分に相当する信号である記録装置に備えられたコンピュータを制御する記録制御用のコンピュータプログラムであって、
該コンピュータを、前記記録手段、前記第１制御手段、前記読取手段、前記付加手段、前記測定手段、前記調整手段及び前記第２制御手段の少なくとも一部として機能させることを特徴とするコンピュータプログラム。
【請求項１４】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号に所定のオフセット信号を付加することでオフセット付加信号を取得する付加手段と、前記オフセット付加信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備え、前記オフセット信号は、前記読取信号のアシンメトリと目標アシンメトリとの差分に相当する信号である記録装置により調整された前記記録条件を記録するための記録条件記録エリアを備えることを特徴とする記録媒体。
【請求項１５】
記録媒体にデータパターンを記録する記録手段と、前記データパターンの記録を中断するように前記記録手段を制御する第１制御手段と、前記記録媒体に記録されたデータパターンを読み取ることで読取信号を取得する読取手段と、前記読取信号に所定のオフセット信号を付加することでオフセット付加信号を取得する付加手段と、前記オフセット付加信号のジッタを測定する測定手段と、前記測定手段により測定される前記ジッタが所望の条件を満たすように前記記録手段における記録条件を調整する調整手段と、前記調整手段により調整された前記記録条件を用いて前記データパターンの記録を再開するように前記記録手段を制御する第２制御手段とを備え、前記オフセット信号は、前記読取信号のアシンメトリと目標アシンメトリとの差分に相当する信号である記録装置により調整された前記記録条件により前記データパターンが記録されることを特徴とする記録媒体。
【国際調査報告】
2009016752.tif 000018
2009016752.tif 000019
2009016752.tif 000020
2009016752.tif 000021
2009016752.tif 000022
2009016752.tif 000023
2009016752.tif 000024
2009016752.tif 000025